【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
対象物内の流体の流れ挙動の超音波装置を用いた非侵襲的測定及び／又は検出の結果を提示する流れ挙動モニタにおいて、
前記流体の流れ挙動の証拠の少なくとも１つの測定値を表す視覚的及び音響的出力の少なくとも一方を提示する手段を有し、
前記対象物内の前記流体から後方散乱された超音波信号から、複数の周波数スライスの各々に関して全ドプラパワーが時間の関数として計算され、
前記複数の周波数スライスの各々に関して決定された全ドプラパワーから、前記複数の周波数スライスの各々に関してパワースペクトルが計算され、
前記流れ挙動の証拠が、各周波数スライスに関して、該周波数スライスに関する前記全ドプラパワー及び前記パワースペクトルの少なくとも一方から計算され、
前記流れ挙動の証拠の計算された値のうちの少なくとも１つが、前記提示する手段により提示される前記流れ挙動の証拠の少なくとも１つの測定値を生成するために使用される、
流れ挙動モニタ。
【請求項２】
請求項１に記載の流れ挙動モニタにおいて、前記流れ挙動が、血液環流の状態、拍動の状態、心拍レート、並びに／又はコロイド状若しくは乳濁状溶液の流れの及び／若しくはパルス的活動の少なくとも１つを含む流れ挙動モニタ。
【請求項３】
請求項１に記載の流れ挙動モニタにおいて、前記提示する手段が表示スクリーンを有する流れ挙動モニタ。
【請求項４】
請求項３に記載の流れ挙動モニタにおいて、前記表示スクリーンが、陰極線管（ＣＲＴ）表示器、液晶表示器（ＬＣＤ）、及び／又はプラズマ表示器を有する流れ挙動モニタ。
【請求項５】
請求項３に記載の流れ挙動モニタにおいて、前記流れ挙動の証拠の少なくとも１つの測定値が、前記表示スクリーン上にアイコン及び／又は記号により表される流れ挙動モニタ。
【請求項６】
請求項３に記載の流れ挙動モニタにおいて、前記流れ挙動の証拠の少なくとも１つの測定値が、前記表示スクリーン上に、棒グラフ、数値、点滅光の周波数、色、表示されるアイコン及び／若しくは記号の数、並びに／又は表示されるアイコン及び／若しくは記号の形状として表される流れ挙動モニタ。
【請求項７】
請求項３に記載の流れ挙動モニタにおいて、ドプラスペクトルトレース及びドプラスペクトル図が前記表示スクリーン上に示される流れ挙動モニタ。
【請求項８】
請求項７に記載の流れ挙動モニタにおいて、前記流れ挙動の証拠の少なくとも１つの測定値が、ドプラスペクトルトレース及びドプラスペクトル図の少なくとも一方の色を変化させることにより表される流れ挙動モニタ。
【請求項９】
請求項７に記載の流れ挙動モニタにおいて、前記流れ挙動の証拠の少なくとも１つの測定値が、前記ドプラスペクトルトレースのレベルを変化させることにより表される流れ挙動モニタ。
【請求項１０】
請求項３に記載の流れ挙動モニタにおいて、他の測定値も前記表示スクリーン上に示される流れ挙動モニタ。
【請求項１１】
請求項１０に記載の流れ挙動モニタにおいて、前記他の測定値が生理学的パラメータの測定値を有する流れ挙動モニタ。
【請求項１２】
請求項１０に記載の流れ挙動モニタにおいて、前記他の測定値が、ドプラスペクトル図、ドプラスペクトルトレース、ＥＣＧ（心電図）、ＥＥＧ（脳波図）、ＳｐＯ２（動脈酸素測定値）、ＣＯ２及び／又は血圧を含む流れ挙動モニタ。
【請求項１３】
請求項１に記載の流れ挙動モニタにおいて、前記提示する手段がオーディオ出力用のスピーカを有する流れ挙動モニタ。
【請求項１４】
請求項１に記載の流れ挙動モニタにおいて、前記提示する手段が少なくとも１つのインジケータを有する流れ挙動モニタ。
【請求項１５】
請求項１に記載の流れ挙動モニタにおいて、前記少なくとも１つのインジケータが少なくとも１つのライトを有する流れ挙動モニタ。
【請求項１６】
請求項１５に記載の流れ挙動モニタにおいて、前記流れ挙動の証拠が前記少なくとも１つのライトの色、オンされた前記少なくとも１つのライトのナンバ、及び／又は前記少なくとも１つのライトの点滅の周波数により表される流れ挙動モニタ。
【請求項１７】
請求項１に記載の流れ挙動モニタにおいて、該流れ挙動モニタが除細動器に直接に又は間接的に接続される流れ挙動モニタ。
【請求項１８】
請求項１７に記載の流れ挙動モニタにおいて、前記除細動器が自動又は半自動体外式除細動器（ＡＥＤ）である流れ挙動モニタ。
【請求項１９】
請求項１に記載の流れ挙動モニタにおいて、前記対象物が人、動物、他の生物物体、及び／又は無生物物体である流れ挙動モニタ。
【請求項２０】
請求項１に記載の流れ挙動モニタにおいて、前記流れ挙動の証拠が、前記周波数スライスのうちで最大の値を持つ流れ挙動の証拠である流れ挙動モニタ。
【請求項２１】
請求項１に記載の流れ挙動モニタにおいて、前記流れ挙動の証拠が拍動指標を有し、該拍動指標が、或る周波数スライスのパワースペクトルにおける１以上のピークのうちの少なくとも１つと、該周波数スライスのパワースペクトルにおける全パワーとに関連する比を有する流れ挙動モニタ。
【請求項２２】
請求項２１に記載の流れ挙動モニタにおいて、前記視覚的及び音響的出力の少なくとも一方を提示する手段は、前記対象物内に前記流体のパルス的流れが存在するかの判定を提供し、前記判定は、計算された前記拍動指標の各々を所定の閾値と比較することによりなされ、計算された前記拍動指標の何れかが該所定の閾値を超える場合にパルス的流れが存在する流れ挙動モニタ。
【請求項２３】
請求項１に記載の流れ挙動モニタにおいて、前記流れ挙動の証拠が流れ指標を有し、該流れ指標は、少なくとも１つの周波数スライスにおける流れ挙動の測定の、該少なくとも１つの周波数スライスにおける流れ挙動の測定の初期値により正規化された後の値である流れ挙動モニタ。
【請求項２４】
請求項２３に記載の流れ挙動モニタにおいて、前記初期値は前記対象物が心室細動状態にある間に得られ、前記後の値は前記対象物が除細動された後に得られる流れ挙動モニタ。
【請求項２５】
請求項２４に記載の流れ挙動モニタにおいて、前記心室細動は、前記後の値が測定される前の１秒の僅かの部分から数日までの何れかの時点で発生したものである流れ挙動モニタ。
【請求項２６】
請求項２３に記載の流れ挙動モニタにおいて、前記視覚的及び音響的出力の少なくとも一方を提示する手段は、前記対象物内に前記流体の流れが存在するかの判定を提供し、該判定は、計算された前記流れ指標の各々を所定の閾値と比較することによりなされ、計算された前記流れ指標の何れかが該所定の閾値を超える場合に流れが存在する流れ挙動モニタ。
【請求項２７】
請求項１に記載の流れ挙動モニタにおいて、前記流れ挙動の証拠が、少なくとも１つの周波数スライスにおけるドプラパワーの瞬時的測定値を有する流れ挙動モニタ。
【請求項２８】
請求項１に記載の流れ挙動モニタにおいて、前記視覚的及び音響的出力の少なくとも一方を提示する手段は、前記流れ挙動の証拠が異常なパターンを示す及び／又は所定の閾と交差する場合に警報を発する流れ挙動モニタ。
【請求項２９】
請求項１に記載の流れ挙動モニタにおいて、前記流れ挙動の証拠が、前記決定されたドプラパワーの、心電計及び／又は血圧モニタにより収集されたデータとの相互相関を有する流れ挙動モニタ。
【請求項３０】
請求項１に記載の流れ挙動モニタにおいて、記憶装置が、前記流れ挙動の証拠を有するデータを記憶する流れ挙動モニタ。
【請求項３１】
対象物内の流体の流れ挙動の超音波装置を用いた非侵襲的測定の結果を提示するシステムにおいて、
複数の周波数スライスの各々に対して、前記対象物内の前記流体から後方散乱された超音波信号から計算される全ドプラパワーを時間の関数として決定し、
前記決定された全ドプラパワーからパワースペクトルを決定し、これにより前記複数の周波数スライスの各々が当該周波数スライス内の周波数にわたるパワースペクトルを有するようにし、
各周波数スライスに対して、前記対象物内の前記流体の流れ挙動の第１の証拠を計算する、
処理手段と、
ドプラスペクトルトレースを提示する視覚的出力手段であって、前記流れ挙動の第１の証拠の現測定値が該ドプラスペクトルトレースの色により表される手段と、
流れ挙動の第２の証拠を出力する音響的出力手段であって、当該システムのユーザが前記対象物内の前記流体の流れ挙動を聴き取ることができる手段と、
を有するシステム。
【請求項３２】
請求項３１に記載のシステムにおいて、前記流れ挙動が、血液環流、拍動状態、心拍レート、並びに／又はコロイド状若しくは乳濁状溶液の流れの及び／若しくはパルス的活動の少なくとも１つを有するシステム。
【請求項３３】
請求項３１に記載のシステムにおいて、前記処理手段が、ハードウェア、ソフトウェア及びファームウエアのうちの少なくとも１つを有するシステム。
【請求項３４】
請求項３１に記載のシステムにおいて、前記処理手段は、前記流れ挙動の第１の証拠を計算するために、前記決定されたパワースペクトル及び前記決定されたドプラパワーの一方と、心電計及び／又は血圧モニタにより収集されたデータとの相互相関をとるシステム。
【請求項３５】
請求項３１に記載のシステムにおいて、前記流れ挙動の第２の証拠がドプラエコー信号及び／又は心拍レートを含むシステム。
【請求項３６】
請求項３１に記載のシステムにおいて、前記流れ挙動の第１及び第２の証拠のうちの少なくとも一方を含むデータを記憶する記憶装置を更に有するシステム。
【請求項３７】
請求項３１に記載のシステムにおいて、除細動器を更に有するシステム。
【請求項３８】
請求項３６に記載のシステムにおいて、前記除細動器が自動又は半自動体外式除細動器（ＡＥＤ）であるシステム。